(57)【要約】【課題】  人体への悪影響を及ぼさない環境にやさしい冷蔵庫を提供することを目的とする。また、自動製氷用の水を貯留する給水タンク内の鉛のみを除去する鉛除去手段を設置して、人体にやさしいおいしい氷を製造できる冷蔵庫を提供することを目的とする【解決手段】  給水タンク内に貯留されている水の中の鉛分を除去する鉛除去手段を供え、鉛除去手段を給水タンク内、あるいは給水タンクから製氷皿に至るまでの給水経路中、あるいは給水タンクから冷蔵庫外に排出するまでの排出経路中に設けるようにした。【選択図】        図３
2005300039.tif 000002
【特許請求の範囲】
【請求項１】
飲料用水あるいは製氷用水を貯留する給水タンクを供えた冷蔵庫において、前記給水タンク内に貯留されている水の中の鉛分を除去する鉛除去手段を供え、前記鉛除去手段を前記給水タンク内、あるいは前記給水タンクから前記製氷皿に至るまでの給水経路中、あるいは前記給水タンクから前記冷蔵庫外に排出するまでの排出経路中に設けるようにしたことを特徴とする冷蔵庫。
【請求項２】
前記鉛除去手段がポリアクリル酸の化合物を主成分とするイオン交換繊維であり、鉛分を選択的に除去するようにしたことを特徴とする請求項１に記載の冷蔵庫。
【請求項３】
カリウムやマグネシウムなどのミネラル分を溶出するミネラル分溶出部材を前記給水タンク内、あるいは前記給水タンクから前記製氷皿に至るまでの給水経路中、あるいは前記給水タンクから前記冷蔵庫外に排出するまでの排出経路中に設けたことを特徴とする請求項１または請求項２に記載の冷蔵庫。
【請求項４】
前記給水タンク内に配置された酸化チタンなどの光触媒と、前記光触媒に紫外線などの光を照射する光照射手段と、を供え、前記光照射手段を前記給水タンクの外側近傍に設けて前記光触媒を照射するようにしたことを特徴とする請求項１至乃請求項３のいずれかに記載の冷蔵庫。
【請求項５】
前記給水タンク内に前記給水タンク内の塩素や雑菌などを除去する浄水手段を供え、前記鉛除去手段、前記ミネラル分溶出部材、前記光触媒の少なくとも１つを前記浄水手段に包含させたことを特徴とする請求項１乃至請求項４のいずれかに記載の冷蔵庫。
【請求項６】
前記浄水手段、前記鉛除去手段、前記ミネラル分溶出部材、前記光触媒の少なくとも１つをシート状にして前記浄水手段に包含させたことを特徴とする請求項５に記載の冷蔵庫。
【請求項７】
前記給水タンク内に前記給水タンク内の塩素や雑菌などを除去する浄水手段を供え、前記浄水手段を給水ポンプの吸い込み側に配置するようにしたことを特徴とする請求項１至乃請求項６のいずれかに記載の冷凍冷蔵庫。
【発明の詳細な説明】
【技術分野】
【０００１】
本発明は自動製氷装置や冷水供給装置を搭載した冷蔵庫に関するものである。
【背景技術】
【０００２】
近年、例えば特許文献１に示されている如く、冷蔵室内に給水タンクを設置するとともに、冷凍室内（もしくは製氷室内）には駆動装置にて回転される製氷皿を設置し、給水ポンプによって給水タンクから製氷皿に給水することにより、製氷を行う自動製氷機を備えているものが増加している。
【０００３】
この場合、給水タンクは冷蔵室内に着脱自在に設けられており、給水タンクに給水する際には冷蔵室から給水タンクを取り出し、水道水を給水タンクに直接注水するようにしている。この給水タンク内の水道水は給水ポンプによって製氷皿へ供給され、冷凍室内（もしくは製氷室内）の冷却作用によって凍結する。そして、製氷皿内で製氷が完了した場合には、駆動装置によって製氷皿を回同させ、捻ることによって脱氷して製氷皿から氷を落下させ、製氷皿から落下した氷を受け皿に蓄えるというものである。（たとえば特許文献１参照）
【０００４】
また、大部分の冷蔵庫では、殺菌作用を有する塩素を含んだ水道水（浄水器は未使用）のみを推奨している。日本における水道水の水は、浄水場から鉛管を用いた給水元管や銅合金製の水周り機器を通過して各家庭の蛇口より吐出される。それらに含まれる鉛が水中に溶出し、水周り機器から鉛を含んだ水が吐出され、この鉛を含んだ水を飲み続けると人体に悪い影響を及ぼすことが知られている。
【０００５】
この鉛の溶出を抑えるために銅合金製水周り機器の通水部内面を工場サイドでアルカリ処理して鉛を選択的に除去したものが紹介されている。（たとえば特許文献２参照）
【０００６】
また、イオン交換樹脂を用いてアニオンやカチオンを除去する手段が紹介されている。カルシウムやマグネシウムといったイオンを不溶性化合物として凝集させて、つまり、純水で製氷させるようにしているものが紹介されている。（たとえば特許文献３参照）
【０００７】
【特許文献１】特開平９−２５０８５２号公報
【特許文献２】特開平１０−７２６８３号公報
【特許文献３】特開２００２−３６４９５８号公報
【発明の開示】
【発明が解決しようとする課題】
【０００８】
しかしながら日本全国に網羅されている給水元管に含まれる鉛はそのまま溶出してしまうため、水周り機器に鉛除去を主目的とする浄水器などを設置しなければ、鉛を含まない水とはならない。また、一般的に鉛除去を行う浄水器などは塩素除去も同時に行ってしまう。塩素除去された水は一般雑菌の繁殖を抑えることができないため、自動製氷用の水には適さないとされる。
【０００９】
また、２００３年４月より、水道水質基準の項目中の溶解性鉛の基準が０．０５ｍｇ／Ｌ以下から０．０１ｍｇ／Ｌ以下に強化されたことにも示されるように、鉛の人体への影響が懸念されている。
【００１０】
また、特許文献３に記載されている冷凍冷蔵庫では、鉛を除去することを主目的としておらず、また、ミネラル分であるカルシウムやマグネシウムを除去してしまうため、ミネラル分を含まないおいしさにかける氷となってしまう。すなわち、純水はおいしさの決め手であるミネラル成分を含まないまずい（おいしくない）水のため、できた氷もまずくなってしまう問題があった。
【００１１】
本発明は上述の問題点を解消するためになされたもので、人体への悪影響を及ぼさない環境にやさしい冷蔵庫を提供することを目的とする。またミネラル成分を含むおいしい氷が得られる冷蔵庫を提供することを目的とする。また、自動製氷用の水を貯留する給水タンク内の鉛のみを除去する鉛除去手段を設置して、人体にやさしいおいしい氷を製造できる冷蔵庫を提供することを目的とする。
【課題を解決するための手段】
【００１２】
本発明の冷蔵庫は、飲料用水あるいは製氷用水を貯留する給水タンクを供えた冷蔵庫において、給水タンク内に貯留されている水の中の鉛分を除去する鉛除去手段を供え、鉛除去手段を給水タンク内、あるいは給水タンクから製氷皿に至るまでの給水経路中、あるいは給水タンクから冷蔵庫外に排出するまでの排出経路中に設けるようにしたものである。
【発明の効果】
【００１３】
本発明によれば、給水タンク２０中、あるいは給水タンク２０から製氷皿２６に至るまでの給水経路中、あるいは給水タンク２０から冷蔵庫本体１外に排出するまでの排出経路中の鉛成分が除去でき、人体に悪影響のない安全な飲料用水や氷を提供できる。また、給水元管から溶出される鉛を含んだ水道水を用いても鉛を除去した氷を製氷することができ、鉛による人体への悪影響を排除した安全な水や氷を提供することができる。
【発明を実施するための最良の形態】
【００１４】
実施の形態１．
図１は、本発明の実施の形態１を示す冷蔵庫の概略図であり、図１（ａ）は正面図、図１（ｂ）は側断面図である。図１において、１は冷蔵庫本体であり、冷蔵庫本体１は外箱２、内箱３、及びこれら外箱２、内箱３に充填された発泡断熱材４とで形成された断熱箱体５より形成され、この断熱箱体５は複数の室に仕切られ、それぞれの室の開口部には、開口部を開閉自在に閉塞する扉体が取りつけられている。
【００１５】
冷蔵庫本体１は、上から順に冷蔵室１１、製氷室１２及び切替室１３、野菜室１６、冷凍室１８に仕切られている。そして、これらの室は、その開口部を開閉自在に閉塞する冷蔵室扉体６、製氷室扉体７、切替室扉体８、野菜室扉体９、冷凍室扉体１０が設けられている。
【００１６】
断熱箱体５を複数の室に仕切る仕切部材には、冷蔵室１１と製氷室１２及び切替室１３との間に設けられた仕切部材１４、製氷室１２と切替室１３との間に設けられた仕切部材１５、製氷室１２及び切替室１３と野菜室１６との間に設けられた仕切部材１７、野菜室１６と冷凍室１８との間に設けられた仕切部材１９、などの種類の仕切部材が設けられている。
【００１７】
冷蔵室１１内には給水タンク２０が配置されている。給水タンク２０は冷蔵室と製氷室及び切替室とを仕切る仕切部材１４に少なくとも一部が埋め込まれた状態で出し入れ自在な状態で挿入保持されている。給水タンク２０の材料は一部または全体が透明材料で構成されており、透明材料としてはガラスやメタクリル、ポリカーボネイト、ポリスチレンなどが選定されるが、ポリスチレンを選定した方が、低コストの冷蔵庫が得られるので適当である。製氷室１２や切替室１３や野菜室１６の後方に形成された冷却器室２１ａには、冷却器２１や庫内ファン２２が設置されている。冷却器室２１ａから冷蔵室１１への冷気流路には冷蔵室１１への冷気流量を調整する冷蔵室用ダンパ装置２３が設けられ、また、冷却器室から切替室１３への冷気流路には、切替室１３への冷気流量を調整する切替室用ダンパ装置２４とがそれぞれ設けられている。
【００１８】
冷蔵庫本体１には、製氷室１２内の後方部に製氷コーナー２５が配設され、この製氷コーナー２５には、製氷皿２６と、この製氷皿２６内の氷を製氷皿の下方に設けられた製氷室１２内に製氷皿２６をひねることによって離氷させるための駆動装置２７と、製氷皿２６を支える外壁部材２８と、製氷室１２内の氷の量を検知する検氷レバー２９と、を設置されている。また、給水タンク２０内の水を製氷皿２６へと供給するための流路である給水経路３０や製氷室１２内に氷を貯めておく貯氷箱３１が設けられている。
【００１９】
冷蔵室扉体６の表面には表示パネル３２が設けられており、表示パネル３２には製氷のオンオフを行うための製氷オンオフスイッチ３３が備えられている。この製氷オンオフスイッチ３３をオフさせることにより製氷を停止することができるようにしている。したがって、製氷不要時には、製氷オフにすれば、製氷以外の冷凍食品等の収納が可能となる。また、表示パネル３２には光製氷スイッチ３５が設けられており、このスイッチをオンすることにより給水タンク２０や製氷コーナー２５などに設けられているたとえば発光ダイオードなどの光半導体で構成される紫外線発光手段４２が発光し、給水タンク２０内を照射する。
【００２０】
図２は、実施の形態１を表す冷蔵庫の要部詳細図であり、給水タンク周辺の概略側断面図である。給水タンク２０は冷蔵庫本体１の仕切部材（仕切壁）１４に直接あるいは別体にて仕切壁より凹むように形成された給水タンク受４９に給水タンク２０の少なくとも一部（大部分が埋まるように設置された方が給水タンクが仕切壁より突出しなくなるので良い。）が埋設するように設置されている。
【００２１】
給水タンク受４９は、冷蔵室１１と製氷室１２（あるいは切替室１３）を仕切る仕切部材１４の凹部に設けられている。給水タンク受４９にはマグネットポンプモーター４３が給水タンク受４９の外側（外部）に取付けられており、給水タンク２０内には、給水ポンプ４０が、給水タンク受４９と給水タンク２０を介してマグネットポンプモーター４３が対向する位置に配置されている。給水ポンプ４０にはポンプカバー６１が被せられるように設置されており、このポンプカバー６１は、開口部を有し、この開口部内に浄水フィルター４１を収納できるようになっており、蓋部材６２にてポンプカバー６１の開口部を閉塞できるようになっている。すなわち、給水ポンプ４０の吸い込み側に浄水フィルター４１が一体的に組み込まれる構造となっている。
【００２２】
給水ポンプ４０には、給水ポンプ４０から水受皿へ給水タンク２０内の水供給する給水パイプ３６が取付けられており、マグネットポンプモーター４３に通電することにより、給水ポンプ４０に内蔵されているマグネットインペラ４６（図５）が回転し、その作用により給水タンク２０内の水が浄水フィルター４１を通過しながら吸い上げられ給水パイプ３６の内部を通過し、水受け皿を含む給水経路３０に供給されたのち製氷皿２６へ給水される構造となっている。
【００２３】
給水タンク受４９には穴などの開口があり、そこには窓部材４４が密封状態で取付けられている。窓部材４４の材料は透明の樹脂などであり、例えば、本実施の形態では透明ポリスチレンを使用している。もちろん、メタクリルやポリカーボネイトなどでもよく、透明であれば何でもよい。窓部材４４には光発生手段である紫外線発光手段４２が内蔵または取付できるように構成されている。紫外線発光手段４２は約３８０ｎｍの波長の紫外線を発光する。また、給水タンク２０には蓋３９が設けられており、ごみなどの侵入を抑制している。また、ヒータ４５が給水タンク受４９の近傍に設けられており、給水タンク２０内の水が製氷室１２内を冷却する冷気により冷却されて凍結することを防止する役割を有している。
【００２４】
図３は、本発明の実施の形態１を表す浄水フィルターの概略断面図である。浄水フィルター４１は、少なくとも浄水手段である活性炭シート５１で構成され、本実施の形態では、浄水フィルター５１に鉛除去手段である鉛除去シート５３、光触媒である酸化チタンシート５０も包含するように構成されている。すなわち、活性炭シート５１、鉛除去シート５３を２枚の酸化チタンシート５０で挟むように配設して、全体を不織布５２で包み込むように覆い、加工されて浄水フィルター４１を構成している。
【００２５】
浄水手段である活性炭シート５１は活性炭繊維をシート状に加工したものである。水道水中に含まれるにおいの元である塩素やトリハロメタンや一般雑菌などを強力に吸着する機能を有している。
【００２６】
鉛除去手段である鉛除去シート５３はイオン交換繊維と活性炭繊維の複合シートよりなっている。イオン交換繊維により鉛（鉛イオン）が吸着されるイオン反応式が図４に示されている。図４は鉛除去シートが鉛を除去する場合のイオン反応の化学式を表した図である。図に示すようにイオン交換繊維の主成分であるポリアクリル酸カルシウムと鉛イオンが反応してポリアクリル酸鉛とカルシウムイオンになることによって鉛を吸着するものである。ここで、本実施の形態では、ポリアクリル酸カルシウムを使用しているが、人体に悪影響を与えなければ、ポリアクリル酸の化合物で有れば何でも良い。
【００２７】
ここで、冷蔵庫の自動製氷に使用する水の量は１年あたり約５００リットル程度であるので、水道水に含まれる鉛量を０．００２ミリグラム毎リットルとした場合、一般的な冷蔵庫の寿命とされる１０年間では鉛が１０グラム含まれていることになる。したがって、鉛除去シート５３の使用量としては、鉛除去シート５３の能力が鉛除去シート１グラムあたり約１２０ミリグラムの鉛が除去できるものを用いた場合、浄水フィルタ４１に鉛除去シート５３が８４グラム程度以上包含されるようにすれば、浄水フィルタ４１は１０グラム以上の鉛が除去できることになる。
【００２８】
よって、本実施の形態では、鉛除去シート５３が８４グラム程度以上、すなわち９０グラム包含されるようにしているので、１０年間分の水道水に含まれる鉛量である１０グラムを除去できるので、１０年間フィルタ４１の交換が不要となり、経済的で交換の手間の必要ない低コストで体にやさしく環境にもやさしい冷蔵庫が得られる。もちろん、水道水に含まれる鉛量は使用されている水道管によって異なったり自動製氷の頻度により、浄水フィルタ４１の耐久年数は様々であるが、上記のように浄水フィルタ４１に１０年分の鉛量を除去できるだけの鉛除去シート５３を選定するようにすればよい。
【００２９】
光触媒である酸化チタンを含有した酸化チタンシート５０は活性炭繊維に酸化チタンを胆持したものである。酸化チタンは光触媒の一種である。光触媒は特定の波長を有する光を照射されると励起状態になり表面が強い酸化力を持つ。酸化チタンの場合、約３８０ｎｍの波長を有する紫外線が照射されることにより酸化チタンの表面で励起状態になり、表面が強い酸化力を持つ。この酸化力により、水や酸素からラジカルが発生し、このラジカルが菌などを含む有機物を酸化還元反応で分解することで脱臭及び抗菌作用を発揮するので、給水タンク内の水に脱臭、抗菌作用が働き、いやな臭いがせず、雑菌などもいない衛生的な氷を製氷することができる。また、光触媒の寿命は半永久的であるため、破損のない限り、浄水フィルタ−４１のメンテナンスが不要となる。
【００３０】
図５は実施の形態１を表すポンプおよびフィルタの構造を説明するための図であり、給水ポンプ４０に対して浄水フィルター４１の取付け構造を示す概略斜視図である。給水ポンプ４０はポンプケース４７の開口部にマグネットインペラ４６を収納し、この開口部をポンプカバー６１を覆うように被せることによりマグネットインペラ４６を内蔵した構造となっている。また、給水ポンプ４０のポンプカバー６１のマグネットインペラ４６と反対側には浄水フィルター４１を収納できる箱形形状を有したフィルタ収納部６１０が設けられている。この箱形形状のフィルタ収納部６１０に浄水フィルター４１を収納したのち、このフィルタ収納部６１０の開口部を覆うようにカバー部材である蓋部材６２を被せる構造としている。このような構造によりポンプ４０と浄水フィルター４１が簡単な構成でありながら、一体化できる。このとき、水は浄水フィルター４１を通過してポンプ４０により吸い込まれ、略上方に開口した吐出管４７０を介して給水パイプ３６へと吐出されることになる。
【００３１】
このように構成された冷凍冷蔵庫１において、給水タンク２０に水道水が供給された状態で給水タンク２０が給水タンク受４９に収納されて自動製氷が開始されると、給水ポンプ４０に対して給水タンク２０を挟んで対向した位置に設置されているマグネットポンプモーター４３が通電されてマグネットポンプモーター４３が回転し、同期して給水ポンプ４０内のマグネットインペラ４６が回転する。マグネットインペラ４６が回転すると、その作用により給水タンク２０内の水が浄水フィルタ−４１を通過して給水パイプ３６へ吐出されて給水経路３０を通過したのち、製氷皿２６に供給されて冷却器室からの冷気により冷却され製氷される。
【００３２】
ここで、給水タンク２０内の水が浄水フィルター４１を通過するときに浄水フィルター４１内の鉛除去シート５３を通過するので、そのときに水に含まれる鉛がイオン交換繊維のはたらきにより除去される。そのため浄水フィルター４１を通過したのちの水は、鉛成分が除去された人体への悪影響のない衛生的な水となっており、本実施の形態では、この衛生的な水で製氷するので、衛生的な氷を作ることができる。さらに、鉛成分を除去するときに、カルシウムを生成するので、ミネラル成分を加えることができ、おいしい水や氷を得ることもできる。また、本実施の形態では、給水タンク２０内の水は、活性炭シート５１も通過するので、塩素分も除去されて、カルキくさくないおいしい氷を得ることもできる。
【００３３】
また、本実施の形態では、鉛除去機能つき浄水器をとおした水を使用しても問題はない。通常、鉛除去機能つき浄水器は鉛成分だけでなく、塩素も除去するため、殺菌作用がなく、給水タンク２０内で雑菌が繁殖するので、鉛除去機能つき浄水器をとおした水を製氷に使用するのは好ましくない。すなわち、鉛除去機能つき浄水器をとおした水は、鉛除去機能つき浄水器を通過しているので鉛は既に除去されているが、塩素も除去されており水自体には殺菌（抗菌）作用は働かない。しかし、本実施の形態では、浄水フィルター４１には活性炭シート５１と酸化チタンシート５０を含有しており、水の中の一般雑菌は活性炭シート５１や酸化チタンシート５０にて吸着され、その後、酸化チタンシート５０に光照射手段である紫外線発光手段４２（たとえば発光ダイオード３４など）により紫外線を照射することにより、活性炭シート５１や酸化チタンシート５０に吸着された一般雑菌は分解され死滅する。したがって、本実施の形態の浄水フィルター４１を通過した後の水は常に衛生的であり、結果として製氷された氷も衛生的でおいしい氷となっている。
【００３４】
以上のように、市販されている鉛除去機能つきの浄水器をとおした水で自動製氷を行う場合は、鉛も塩素も除去された水で製氷することになるため、給水タンク内での一般雑菌などの繁殖が問題となるが、本実施の形態では、活性炭シート５１や酸化チタンシート５０を使用しているので、給水タンク２０内の一般雑菌の繁殖を抑制することができる。
【００３５】
また、近年需要の増えているミネラルウォーターを使用する場合でも、本実施形態では、鉛を含んでいた場合は鉛を除去することができ、衛生的な氷を作ることができる。また、ミネラルウォーターは塩素等の殺菌成分を含まない場合が多いが、本実施の形態では、光触媒である酸化チタンシートの効果により給水タンク２０内のミネラルウォーター内での一般雑菌の繁殖を抑制することができる。
【００３６】
また、本実施の形態では、鉛除去シートとして、ポリアクリル酸カルシウムを用いているので、カルシウムやマグネシウムといった水のおいしさの決め手となるミネラル成分を除去することなく鉛を選択的に除去することができるので、衛生的でおいしい水で製氷することができる。すなわち、本実施の形態の冷蔵庫では、鉛除去、塩素除去、一般雑菌の繁殖の抑制、およびおいしい氷をすべて満足することのできる冷蔵庫を提供することができる。
【００３７】
本実施の形態では、浄水手段として活性炭シートを使用し、鉛除去手段として鉛除去シートを使用し、光触媒として酸化チタンシートを使用しているが、何もシート状でなくてもよく、同様の効果が得られる形状のものであればどのような形状であっても良い。また、本実施の形態では、製氷用に製氷用水を貯留する給水タンクについて説明してきたが、飲料用水を貯留する給水タンクであっても同様の効果が得られる。
【００３８】
以上のように、本実施の形態では、飲料用水あるいは製氷用水を貯留する給水タンクを供えた冷蔵庫において、給水タンク２０内に貯留されている水の中の鉛分を除去する鉛除去手段５３を供え、鉛除去手段５３を給水タンク２０内、あるいは給水タンク２０から製氷皿２６に至るまでの給水経路中、あるいは給水タンク２０から冷蔵庫本体１外に排出するまでの排出経路中に設けるようにしているので、給水タンク２０中、あるいは給水タンク２０から製氷皿２６に至るまでの給水経路中、あるいは給水タンク２０から冷蔵庫本体１外に排出するまでの排出経路中の鉛成分が除去でき、人体に悪影響のない安全な飲料用水や氷を提供できる。
【００３９】
また、鉛除去手段がポリアクリル酸の化合物を主成分とするイオン交換繊維であり、鉛分を選択的に除去するようにしたので、鉛成分が除去された人体への悪影響のない衛生的な水となっており、また、この衛生的な水で製氷するので、衛生的な氷を作ることができる。また、おいしさの元であるカルシウムやカリウムなどのミネラル分は除去せず鉛成分のみ選択的に除去するので、おいしくて安全な飲料用水や氷を提供することができる。
【００４０】
また、給水タンク２０内に配置された酸化チタンなどの光触媒５０と、光触媒５０に紫外線などの光を照射する光照射手段４２と、を備え、光照射手段４２を給水タンク２０の外側近傍に設けて光触媒５０を照射するようにしたので、給水タンク内の水に脱臭、抗菌作用が働き、いやな臭いがせず、雑菌などもいない衛生的な氷を製氷することができる。
【００４１】
実施の形態２．
図６は本発明の実施の形態２に係る冷凍冷蔵庫の浄水フィルター４１ａの概略断面図である。本実施の形態においては、実施の形態１で説明した浄水フィルター４１の代わりにトルマリンシートを使用した浄水フィルター４１ａを使用している。図において、実施の形態１、図１〜図５と同等部分は同一の符号を付して説明は省略する。図において、浄水フィルター４１ａは、実施の形態１でも説明した活性炭シート５１、酸化チタンシート５０に加え、本実施の形態では、トルマリンシート６４も使用しており、これらを不織布で包含している。トルマリンシート６４はトルマリン鉱石の粉末を活性炭繊維に担持しシート状にしたものである。もちろん、トルマリンを包含する手段が不織布包含に制限されるものではなく、トルマリンの効能が発揮できればどのような形状、材質であってもよい。
【００４２】
トルマリン鉱石は電気石とも呼ばれ、結晶の温度が変化すると結晶表面に電荷が現れる焦電効果を発揮する物質である。特に温度が上昇すると焦電効果が大きいため、トルマリン鉱石の周囲の水の温度を上昇させれば、大きな焦電効果が得られる。（約１０℃結晶表面の温度が上昇すると２倍に帯電する。）帯電したトルマリンは水のクラスターを分解して水を分子状態にすることで、水のまずさの原因ともなる塩素や不純物が水のクラスター（水分子が５，６個でかたまった状態）に入り込んで数十の分子に結合した状態を回避できるので、おいしい水を得ることができる。したがって、トルマリン鉱石の表面温度を変化させることによって、塩素や不純物を取除くことができ、おいしい水や氷を得ることができる。ここでトルマリン鉱石の結晶の表面温度を変化させる手段としては、ヒータなどの温度変更手段を別途用いれば良いが、実施の形態１で説明した図２に記載されているヒータ４５を用いるようにしても良い。
【００４３】
また、トルマリン鉱石の周囲の水は軽い電気分解を起こすことが知られている。水の分子は水素イオンと水酸化イオンに分離する。その際、陽イオンはトルマリンのマイナス電極にひきつけられ、そこから放電される電子と結合、中和して水素原子となり水素ガスとして空気中に放出される。つまり、水がアルカリ化する（約ｐＨ７．５の弱アルカリ性となる）。弱アルカリ水は有害な活性酸素を無害化する高い抗酸化作用も有しており、体に良いおいしい水や氷が得られる。
【００４４】
一方陰イオンは水分子と結合してヒドロキシルイオンと呼ばれる界面活性物質に変化する。界面活性物質は生体内でもコレステロールの凝固や血管壁への付着を防いで動脈硬化を予防したり体液を弱アルカリ性に調整したり新陳代謝を活発にする役割を果たす。したがって、トルマリン鉱石を使用した浄水フィルターを使用した本実施の形態によれば、鉛を除去するだけでなく、トルマリンの有する効能により人体によい影響与える水やこの水で製氷することのできるおいしい水や氷を提供できる。また、浄水フィルター４１ａを交換するだけでメンテナンスができるため、メンテナンス費用も安く抑えられる。
【００４５】
図７は実施の形態２に係る冷凍冷蔵庫の別の浄水フィルター４１ｂの概略断面図である。本実施の形態においては、実施の形態１で説明した浄水フィルター４１の代わりに浄水フィルター４１ｂを使用している。図において、実施の形態１、図１〜図６と同等部分は同一の符号を付して説明は省略する。図において、浄水フィルター４１ｂは、実施の形態１でも説明した活性炭シート５１、酸化チタンシート５０に加え、本実施の形態では、麦飯石シート６５も使用しており、これらを不織布で包含している。麦飯石シート６５は麦飯石の粉末を活性炭繊維に担持しシート状にしたものである。もちろん、麦飯石を包含する手段が不織布包含に制限されるものではなく、麦飯石の効能が発揮できればどのような形状、材質であってもよい。
【００４６】
麦飯石は、カルシウム、マグネシウム、カリウム、マンガンなどのミネラル分を溶出することで知られている。本実施の形態では、ミネラル分を溶出する物質として麦飯石を使用しているが、ミネラル分（特においしさの成分であるカルシウム、カリウムなど）を溶出させる物質ならば体に害を与えない物質であればどのような物質でよいので麦飯石に制限されるものではない。ミネラル分（特においしさの成分であるカルシウム、カリウムなど）は水のおいしさの決め手の一つであり、麦飯石の溶出するミネラル分の効果で水はおいしくなり、そのおいしい水で自動製氷することができる。したがって、本実施の形態の冷凍冷蔵庫によれば鉛を除去するだけでなく、おいしい水で自動製氷することができる。また、浄水フィルター４１ｂを交換するだけでメンテナンスできるため、メンテナンス費用も安く抑えることが出来る。また、本実施の形態では、製氷用に製氷用水を貯留する給水タンクについて説明してきたが、飲料用水を貯留する給水タンクであっても同様の効果が得られる。
【００４７】
本実施の形態では、カリウムやマグネシウムなどのミネラル分を溶出するミネラル分溶出部材を給水タンク内、あるいは給水タンクから製氷皿に至るまでの給水経路中、あるいは給水タンクから冷蔵庫外に排出するまでの排出経路中に設けるようにしているので、麦飯石の溶出するミネラル分の効果で水はおいしくなり、そのおいしい水で自動製氷することができる。
【００４８】
また、実施の形態１や実施の形態２で説明したように、給水タンク２０内に給水タンク２０内の塩素や雑菌などを除去する浄水手段５１を供え、鉛除去手段５３、ミネラル分溶出部材６５、光触媒５０の少なくとも１つを浄水手段である浄水フィルタに包含させるようにしたので、簡単な構成でしかも簡単に設置できる。また、浄水手段５１、鉛除去手段５３、ミネラル分溶出部材６５、光触媒５０の少なくとも１つをシート状にして浄水手段である浄水フィルタに包含させるようにしており、簡単に安価に製造でき、しかも給水タンク内や給水経路や排水経路中の雑菌の繁殖の抑制やミネラル分溶出などを行うことができ、衛生的でおいしく安全な水や氷を提供できる。
【００４９】
また、給水タンク内に給水タンク内の塩素や雑菌などを除去する浄水手段を供え、浄水手段を給水ポンプの吸い込み側に配置するようにしているので、確実に給水タンク内に殺菌やミネラル分溶出などを行うことができ、衛生的でおいしい水や氷を提供できる。
【００５０】
また、本発明によれば、給水元管から溶出される鉛を含んだ水道水を用いても鉛を除去した氷を製氷することができ、鉛による人体への悪影響を排除した安全な氷を提供することができる。また、本発明によれば、浄水器のような高価な装置を用いずとも、安全で衛生的な衛生的な氷を安価に提供することができる。さらに、本発明によれば、鉛除去効率を高めた水で製氷することができる。
【００５１】
また、本発明によれば、ミネラル分溶出部材にイオン交換繊維を用いているので、浄水手段である浄水フィルターに簡単に設けることができ、メンテナンスが浄水フィルターのみの交換となり、メンテナンスにかかる費用を安価とすることができる。また、本発明によれば、従来の浄水装置のように塩素などともにカルシウムを除去することがなく、ミネラル分の付加されたおいしい水を得ることができ、またこのおいしい水で製氷することができる。
【図面の簡単な説明】
【００５２】
【図１】本発明の実施の形態１を示す冷蔵庫の概略図である。
【図２】本発明の実施の形態１を表す冷蔵庫の要部詳細図である。
【図３】本発明の実施の形態１を表す浄水フィルターの概略断面図である。
【図４】本発明の実施の形態１を表す冷蔵庫の鉛除去シートのイオン反応の化学式を表した図である。
【図５】本発明の実施の形態１を表すポンプおよびフィルタの構造を説明するための図である。
【図６】本発明の実施の形態２に係る冷凍冷蔵庫の浄水フィルター４１ａの概略断面図である。
【図７】本発明の実施の形態２に係る冷凍冷蔵庫の別の浄水フィルター４１ｂの概略断面図である。
【符号の説明】
【００５３】
１  冷蔵庫本体、２  外箱、３  内箱、４  発泡断熱材、５  断熱箱体、６  冷蔵室扉体、７  製氷室扉体、８  切替室扉体、９  野菜室扉体、１０  冷凍室扉体、１１  冷蔵室、１２  製氷室、１３  切替室、１４  仕切部材、１５  仕切部材、１６  野菜室、１７  仕切部材、１８  冷凍室、１９  仕切部材、２０  給水タンク、２１  冷却器、２２  庫内ファン、２３  冷蔵室用ダンパ装置、２４  切替室用ダンパ装置、２５  製氷コーナー、２６  製氷皿、２７  製氷駆動装置、２８  製氷コーナー外壁部材、２９  検氷レバー、３０  給水経路、３１  貯氷箱、３２  表示パネル、３３  製氷オンオフスイッチ、３５  発光ダイオードオンオフスイッチ、３６  給水パイプ、３６ａ  吸い上げパイプ、３６ｂ  吐出パイプ、３９  給水タンクの蓋、４０  給水ポンプ、４１、４１ａ、４１ｂ  浄水フィルター、４２  紫外線発光手段、４３  マグネットポンプモーター、４４  窓部材、４５  ヒータ、４６  マグネットポンプモータ（羽根車）、４７  ポンプケース、４８  屋根部材、４９  給水タンク受、５０  酸化チタンシート、５１  活性炭シート、５２  不織布、５３  鉛除去シート、６１  ポンプカバー、６２  蓋部材、６４  トルマリンシート、６５  麦飯石シート。
【図１】
2005300039.tif 000003
【図２】
2005300039.tif 000004
【図３】
2005300039.tif 000005
【図４】
2005300039.tif 000006
【図５】
2005300039.tif 000007
【図６】
2005300039.tif 000008
【図７】
2005300039.tif 000009